(57)【要約】【課題】集合住宅の新築に際してアパート、低層マンションのような小規模物件にも容易且つ安価に光ファイバケーブルを導入できる集合住宅用光ファイバ先行配線方法及び集合住宅用先行配線光接続キャビネットを提供すること。【解決手段】キャビネットＡ内にはベース板２０を配置し、該ベース板２０には通信事業者側の光接続部収納トレイＢと、自営設備側の光接続部収納トレイＢと、光ファイバケーブル４０を引き留める引留め部材２２と、夫々の収納トレイＢから引き出された光ファイバ１を中継する中継アダプタ２３とを配置し、宅内に配線する光ファイバケーブル４０の一端を宅内に配置した光コンセント２に接続し、上記光ファイバケーブル４０の他端は上記キャビネットＡ内の上記引留め部材２２、上記自営設備側の光接続部収納トレイＢ１を経由して上記中継アダプタ２３までの間を先行して配線する。【選択図】図１
2005215071.tif 000002
【特許請求の範囲】
【請求項１】
蓋体が前面に開閉可能に設けられた防水型ボックスからなるキャビネット内に、通信事業者側の光接続部収納トレイと、自営設備側の光接続部収納トレイと、夫々の収納トレイに引き込む光ファイバケーブルを引き留める引留め部材と、夫々の収納トレイから引き出された光ファイバケーブルを中継する中継アダプタとを配置し、
上記キャビネットを建物の外壁等に露出設置するとともに、宅内には光コンセントを設置し、光ファイバケーブルの一端を上記光コンセントに接続し、他端を屋外に向かって引き出すとともに、引き出した他端を上記キャビネット内の上記引留め部材、上記自営設備側の光接続部収納トレイを経由して上記中継アダプタまでの間を先行配線することを特徴とする集合住宅用光ファイバ先行配線方法。
【請求項２】
前記光接続部収納トレイは、融着又はメカニカルスプライスによる光ファイバ心線の接続部を個別に収容する収容部を備えた、請求項１記載の集合住宅用光ファイバ先行配線方法。
【請求項３】
前記光接続部収納トレイは、上下に段重ねが可能であるとともに、各段の光接続部収納トレイは回動可能に形成され、上段の光接続部収納トレイの回動時には下段の光接続部収納トレイが開放されるようにした、請求項1又は２記載の集合住宅用光ファイバ先行配線方法。
【請求項４】
前記光接続部収納トレイは、段重ねした光接続部収納トレイを各段毎にロックするロック機構を備えた、請求項３記載の集合住宅用光ファイバ先行配線方法。
【請求項５】
前記光接続部収納トレイは、段重ねした光接続部収納トレイを一括してロックするロック機構を備えた、請求項３又は４記載の集合住宅用光ファイバ先行配線方法。
【請求項６】
前記キャビネットには前記光接続部収納トレイに加え加入者線保安器を設けた、請求項１乃至５の何れかに記載の集合住宅用光ファイバ先行配線方法。
【請求項７】
蓋体が前面に開閉可能に設けられた防水型ボックスからなるキャビネット内に、通信事業者側の光接続部収納トレイと、自営設備側の光接続部収納トレイと、夫々の収納トレイに引き込む光ファイバケーブルを引き留める引留め部材と、夫々の収納トレイから引き出された光ファイバケーブルを中継する中継アダプタとを配置したことを特徴とする集合住宅用先行配線光接続キャビネット。
【請求項８】
前記光接続部収納トレイは、融着又はメカニカルスプライスによる光ファイバ心線の接続部を個別に収容する収容部を備えた、請求項７記載の集合住宅用先行配線光接続キャビネット。
【請求項９】
前記光接続部収納トレイは、上下に段重ねが可能であるとともに、各段の光接続部収納トレイは回動可能に形成され、上段の光接続部収納トレイの回動時には下段の光接続部収納トレイが開放されるようにした、請求項７又は８記載の集合住宅用先行配線光接続キャビネット。
【請求項１０】
前記光接続部収納トレイは、段重ねした光接続部収納トレイを各段毎にロックするロック機構を備えた、請求項９記載の集合住宅用先行配線光接続キャビネット。
【請求項１１】
前記光接続部収納トレイは、段重ねしたトレイを一括してロックするロック機構を備えた、請求項９又は１０記載の集合住宅用先行配線光接続キャビネット。
【請求項１２】
前記キャビネットには前記光接続部収納トレイに加え加入者線保安器を設けた、請求項７乃至１１の何れかに記載の集合住宅用先行配線光接続キャビネット。
【発明の詳細な説明】
【技術分野】
【０００１】
本発明は、光ファイバケーブルを集合住宅に配線するための集合住宅用光ファイバ先行配線方法及び同方法に使用する集合住宅用先行配線光接続キャビネットに関するものである。
【背景技術】
【０００２】
従来、住宅新築に際して、電話ケーブル、テレビケーブル、電気ケーブル等の先行配線は行なわれているが、光ファイバケーブルに関しては未だ光ファイバ通信網が発展途上にあったことから住宅の新築時に先行配線が施工されていないのが実情であった。
【０００３】
しかしながら、近年超高速インターネット接続技術の進展普及に伴い、一般住宅においてもアクセス回線として光ファイバケーブルを使用するインターネット接続サービス、いわゆるＦＴＴＨ（Ｆｉｂｅｒ  Ｔｏ  Ｔｈｅ  Ｈｏｍｅ）の導入が進みつつある。
【０００４】
そこで、最近では、住宅新築時に光ファイバケーブルを先行配線する家庭も徐々にではあるが増えてきている。光ファイバケーブルは、外部に露出する端面が傷つきやすく、工場出荷時の状態ではそのまま使用することができない。また、現場で適宜長さに切断した場合もその切断面に無数の傷がついているため、同様にそのままでは使用することができない。
【０００５】
このため、光ファイバケーブルの先行配線に際しては、現場で光ファイバ心線にコネクタを装着した後、コネクタ端面を高精度に研磨する作業が必要であった。そのためには、特殊工具が必要となり、しかもその研磨作業を高精度に行なうにはある程度の熟練が必要であった。ゆえに、住宅建築に携わる電気工事業者の誰もが光ファイバケーブルの先行配線を扱えるとは限らない。その結果、光ファイバケーブルの先行配線を扱える作業者不足と、特殊工具の購入コストとが、当該先行配線の普及促進の障害となることは否めなかった。
【０００６】
そこで、建築現場で光ファイバケーブルの先行配線を行なわなくても済むように、プレハブ住宅では工場で予めユニットパネルに光ファイバケーブルを先行配線して出荷する方法が提案されている（例えば、特許文献１）。
【０００７】
この光ファイバケーブルの先行配線の方法は、プレハブ住宅の壁を構築するユニット（パネルに）電源用配線やコンセントとともに、光通信機器用の光ファイバ接続口を設け、各光ファイバ接続口の裏側面に多芯プラスチック製光ファイバの一端部を接続するとともに、それら多芯プラスチック製光ファイバをユニットの壁裏や天井裏に引き回し、天井裏の中央部に設けた箱体内で一本に束ねた構成となっている。箱体内で束ねられた光ファイバの他端部は、巻いて畳んでおき、ユニットの天井等にテープで止められる。この施設作業は工場で行なわれ、現場では光ファイバ束の端部を中継器などに接続すればよかった。
【特許文献１】特開２０００−１６０６９６号公報
【特許文献２】特願２００３−４３１１７４号公報
【非特許文献１】Ｃａｂｌｅｃｏｍ２００３年１１月号「集合住宅のブロードバンド・インフラ最新事情」株式会社工業通信刊
【発明の開示】
【発明が解決しようとする課題】
【０００８】
本発明が解決しようとする問題点は、上述の光ファイバケーブルの先行配線は適用できる建築物が工場生産されるユニットパネルを使用するプレハブ住宅に限定され、さらに適用できる光ファイバの種類も限定されるため汎用性が低いという点であった。
【０００９】
戸建住宅において上記問題点を解決する手段として、特許文献２に開示される技術がある。しかし、この方法は戸建住宅に好適な光ファイバ先行配線の手段を提供するものの、複合回線の引き込みに対応する手段がないためアパート、マンション等の多くの所帯の入居する集合住宅には適用できなかった。
【００１０】
また、集合住宅に適用できる光ファイバ先行配線として、非特許文献１の方法が知られているが、オフィスビルや高層マンションなどの大規模な集合住宅の施工には適するものの、アパート、低層マンション等の小規模な集合住宅に適用するには引込設備が大掛かりで１住戸あたりのコストが高額になり現実的ではないという問題があった。
【００１１】
本発明は、上記問題点を解決し、アパート、低層マンション等の集合住宅であっても、１住戸あたりの工数が戸建住宅における光ファイバ先行配線方法並みの省施工となり、１住戸あたりの施工コストが戸建住宅における引込キャビネット並みの低コストとすることができる集合住宅用光ファイバ先行配線方法及び同方法に使用する集合住宅用先行配線光接続キャビネットを提供することを課題とする。
【課題を解決するための手段】
【００１２】
前記課題を解決するために本発明に係る集合住宅用光ファイバ先行配線方法は、蓋体が前面に開閉可能に設けられた防水型ボックスからなるキャビネット内に、通信事業者側の光接続部収納トレイと、自営設備側の光接続部収納トレイと、夫々の収納トレイに引き込む光ファイバケーブルを引き留める引留め部材と、夫々の収納トレイから引き出された光ファイバケーブルを中継する中継アダプタとを配置し、上記キャビネットを建物の外壁等に露出設置するとともに、宅内には光コンセントを設置し、光ファイバケーブルの一端を上記光コンセントに接続し、他端を屋外に向かって引き出すとともに、引き出した他端を上記キャビネット内の上記引留め部材、上記自営設備側の光接続部収納トレイを経由して上記中継アダプタまでの間を先行配線することを特徴とする。
【００１３】
なお、前記光接続部収納トレイは、融着又はメカニカルスプライスによる光ファイバ心線の接続部を個別に収容する収容部を備えることが好ましい。
【００１４】
また、前記光接続部収納トレイは、上下に段重ねが可能であるとともに、各段の光接続部収納トレイは回動可能に形成され、上段の光接続部収納トレイの回動時には下段の光接続部収納トレイが開放されるようにし、下段の光接続部収納トレイへの作業ができるようにすればよい。
【００１５】
そして、前記光接続部収納トレイは、段重ねした光接続部収納トレイを各段毎にロックするロック機構を備えることが好ましい。
【００１６】
さらに、前記光接続部収納トレイは、段重ねした光接続部収納トレイを一括してロックするロック機構を備えてもよい。
【００１７】
そして、前記キャビネットには前記光接続部収納トレイに加え加入者線保安器を設け光ファイバケーブルに加え加入者電話線も収容できるようにすることが好ましい。
【００１８】
また、本発明に係る集合住宅用先行配線光接続キャビネットは、蓋体が前面に開閉可能に設けられた防水型ボックスからなるキャビネット内に、通信事業者側の光接続部収納トレイと、自営設備側の光接続部収納トレイと、夫々の収納トレイに引き込む光ファイバケーブルを引き留める引留め部材と、夫々の収納トレイから引き出された光ファイバケーブルを中継する中継アダプタとを配置したことを特徴とする。
【００１９】
なお、前記光接続部収納トレイは、融着又はメカニカルスプライスによる光ファイバ心線の接続部を個別に収容する収容部を備えることが好ましい。
【００２０】
また、前記光接続部収納トレイは、上下に段重ねが可能であるとともに、各段の光接続部収納トレイは回動可能に形成され、上段の光接続部収納トレイの回動時には下段の光接続部収納トレイが開放できるようにすればよい。
【００２１】
さらに、前記光接続部収納トレイは、段重ねした光接続部収納トレイを各段毎にロックするロック機構を備えることが好ましい。
【００２２】
そして、前記光接続部収納トレイは、段重ねしたトレイを一括してロックするロック機構を備えてもよい。
【００２３】
そしてまた、前記キャビネットには前記光接続部収納トレイに加え加入者線保安器を設け、同一キャビネット内に光ファイバと加入者線とを収容できるようにすることが好ましい。
【発明の効果】
【００２４】
本発明の集合住宅用光ファイバ先行配線方法によれば、特殊工具や熟練を必要とせず容易に光ファイバケーブルの先行配線を行なうことができる。また、建築物の構造を制限することがないので汎用性が高く、プレハブ住宅だけではなく各種工法をもって施工される建築物に適用させることができる。
【００２５】
さらに、収納トレイは開閉できないように個別、又は一括してロック機構を設けたので、作業に必要な収納トレイ以外の他の収納トレイに無闇に触れることを防止でき、安全性と信頼性とに優れたキャビネットを提供することができる。
【００２６】
そして、同一キャビネット内に加入者線保安器を設けたので、光ファイバケーブルに加え一般の電話回線も収容することができ、設置スペースの節減と外観上の簡素化とを図ることができる。
【発明を実施するための最良の形態】
【００２７】
蓋体が前面に開閉可能に設けられた防水型ボックスからなるキャビネット内に、通信事業者側の光接続部収納トレイと、自営設備側の光接続部収納トレイと、夫々の収納トレイに引き込む光ファイバケーブルを引き留める引留め部材と、夫々の収納トレイから引き出された光ファイバケーブルを中継する中継アダプタとを配置し、上記キャビネットを建物の外壁等に露出設置するとともに、宅内には光コンセントを設置して、予め一端を光コネクタで成端した光ファイバケーブルのコネクタ端を上記光コンセントに接続し、他端を屋外に向かって引き出すとともに、引き出した他端を上記キャビネット内の上記引留め部材、上記自営設備側の光接続部収納トレイを経由して上記中継アダプタまでの間を先行配線する。
【実施例１】
【００２８】
図１及び図２は、本発明に係る集合住宅用光ファイバ先行配線に用いられる先行配線用部材を示し、この先行配線用機材は光ファイバ１、光コンセント２、取付枠３、挟み金具４、保護カバー５、化粧プレート６、光ファイバケーブル４０、集合住宅用キャビネットＡ（図２参照）などから構成されている。
【００２９】
光ファイバ１の一端は工場出荷時にコネクタ７により成端処理されており、他端は現場での配線時に宅内配線の光ファイバケーブル４０と接続するために処理されていない構成となっており、一般にピグテイルと呼ばれているものである。この光ファイバ（以下、ピグテイルという）１は集合住宅用キャビネットＡ内に配設されるもので、施工時に各戸毎に配置された光コンセント２から敷設された光ファイバケーブル４０の端部とこのピグテイル１の未処理の端部とはメカニカルスプライス又は融着で接続すればよい（本実施例では、メカニカルスプライスを用いて接続を行なう場合について説明する）。なお、上記コネクタ７は、一般に用いられている光ファイバ接続用のコネクタ、例えばＳＣコネクタを用いればよい。
【００３０】
光コンセント２は、内部に幹線側光レセプタクル２ａと、機器側光レセプタクル２ｂと、中継光ファイバ２ｃとを備えており、室内の壁の前面に取り付けた取付枠３に着脱できるようになっているもので、上記取付枠３は室内の壁の背面に配置した挟み金具４にネジ止めすることにより壁面に固定されているので取付枠３に光コンセント２を取り付けると、光コンセント２の後部は壁の裏側に突出するのでこの後部は保護カバー５で覆えばよい。そして、取付枠３の前面を化粧プレート６で覆うことにより、化粧プレート６の中央部に形成された開口部６ａから光コンセント２の前面部分が露出するようになっているもので、取付枠３、挟み金具４、保護カバー５及び化粧プレート６の設置方法は一般の低圧屋内配線用配線器具（壁コンセント、壁スイッチ）と同等であり公知であるため、その構造、設置方法の詳細な説明は省略する。
【００３１】
集合住宅用キャビネットＡ（以下、キャビネットという）は建物の外壁に施設されるものでプラスチックなどの樹脂製で防水対策が施された箱体で構成されており、図２（ａ）（ｂ）（ｃ）の正面図、側面図及び底面図に示すように、前面の蓋体１１は右側面に設けられた蝶番１２を中心に手前に開くようになっており、閉じたときにはキャビネット本体１０に形成された施錠板１３と、蓋体１１の左側面に突出形成された施錠板１４とが合わさり、施錠板１３、１４同士は図示しない鍵で施錠することができ、無闇に蓋体１１の開閉ができないようになっている。そして、天板１５は前方に向かって斜め下方に傾斜するとともに、蓋体１１の前面と面一になるようにキャビネット本体１０から前方に突出して形成され、蓋体１１を開いたときには庇の役割を担うようになっており、作業時に蓋体１１を開放しても天板１５の先端から滴り落ちる水滴はキャビネット本体１０内に落ちないようになっている。
【００３２】
このキャビネット本体１０の底面には各種ケーブルの引込み、引出し用の開口部１６が形成され、この開口部１６はノックアウト１７で塞がれ、必要なノックアウト１７だけ押し破って開口部１６を形成できるようになっている。
【００３３】
キャビネットＡの内部は、図３（ａ）の蓋体１１を外した正面図及び図３（ｂ）の要部を切断した底面図に示すように、ベース板２０がキャビネットＡの後部内壁面にネジ２１で固定され、このベース板２０には２つの光接続部収納トレイＢが配置されている。この光接続部収納トレイ（以下、収納トレイという）Ｂの一方（図面上で右）は自営設備用の収納トレイＢ１を構成し、他方の収納トレイ（図面上で左）は通信事業者用の収納トレイＢ２を構成するように所定間隔をおいて配置されている。
【００３４】
そして、各収納トレイＢ１、Ｂ２の下方には各収納トレイに引き込む光ファイバケーブルを固定するケーブル引留め部材２２、２２を配置するとともに、中央上部には光ファイバケーブルをコネクタ接続するための中継アダプタ２３がＬ字状の支持板２４に支持されて配置されている。
【００３５】
収納トレイＢは、図４に示すように、略長円形の基板３０の周縁には外壁３１が立設形成されて全体としてお盆状に形成され、長手方向両側部の外側面にはヒンジ部３２が形成され、収納トレイＢを重ねて下段の一端側のヒンジ部３２と上段の一端側のヒンジ部３２とに連結ピンを挿通し、収納トレイＢを上下に連結することにより、図５に示すようにヒンジ部３２を中心に前後に開閉できるようになっている。
【００３６】
そして、基板３０の中央には外壁３１と相似して内壁３３が形成され、この内壁３３の直線部分と外壁３１の直線部分との間には所定間隔をおいて複数の支持板３４が立設形成されている。この支持板３４は入線側の光ファイバと出線側の光ファイバとを接続するメカニカルスプライス３５を挟持するためのものである。なお、基板３０の周縁に形成された壁部は４箇所に光ファイバを入線、出線するために切り欠かれ開口部３５を形成している。
【００３７】
なお、段重ねした収納トレイＢの最上段の収納トレイの開口面は、収納トレイＢと同様にヒンジ部を有する開閉可能なカバープレート２５で遮蔽されている。
【００３８】
さらに、収納トレイＢは無闇に開閉できないようにロック機構が設けてある。このロック機構は基板３０の四隅に形成された第１の孔部３６、内壁３３の内側に形成された支柱３８、支柱３８の周囲に等間隔に配置された第２の孔部３７でそれぞれ構成されている。
【００３９】
上記第１の孔部３６は段重ねした収納トレイＢを一括してロックする場合に使用するもので、最上段の収納トレイＢの第１の孔部３６から最下段の収納トレイＢの第１の孔部３６迄を締結バンドを挿通してロックすることができるようになっている。
【００４０】
一方、第２の孔部３７は収納トレイＢの中で上下に連続して段重ねされた一部の収納トレイＢをグループ化してロックする場合に使用するもので、グループを構成する最上段の収納トレイＢの第２の孔部３７からグループを構成する最下段の収納トレイＢの第２の孔部３７まで挿通した後となりの第２の孔部３７からグループを構成する最上段の収納トレイＢの第２の孔部３７まで挿通させてロックすればよい。
【００４１】
また、段重ねした収納トレイＢの最上段以外に配置される収納トレイの開口面は第２のカバープレート２５’で遮蔽できるようになっている。この第2のカバープレート２５’は、図６（ａ）に示すように、収納トレイＢに形成された第１の孔部３６と、第２の孔部３７と、支柱３８に対応する位置に、夫々孔部２６、２７、２８が形成されている。この第２のカバープレート２５’は、個別に収納トレイＢの開口面を塞ぐ、若しくはグループの最上段の収納トレイの開口面を塞ぐをためのもので、孔部２６、２７は上述の第１の孔部３６、第２の孔部３７と同様に、結束バンドでロックする際に使用し、孔部２８は支柱３８の中央に貫通して形成された捩じ込み孔３８ａに対応し、図示しないタッピングネジを孔部２８から支柱３８の捩じ込み孔３８ａに捩じ込むことにより収納トレイＢの開口面を塞いで、開口面からトレイ内に直接手を触れることができないようにロックすることができる。なお、上記孔部２８は背面側に膨出した膨出部２９に形成されており、捩じ込んだタッピングネジの頭が突出しないようになっている（図６（ｂ）参照）。
【００４２】
次に、上述した先行配線用の部材を用いて光ファイバケーブルを集合住宅に先行配線する場合を説明する。
【００４３】
先ず、図７に示すように、キャビネットＡを集合住宅の外壁等に取り付け、各戸の室内壁に光コンセント２を設置する。光コンセント２の設置方法は上述したように、低圧屋内配線用配線器具の設置方法と同等で公知の設置方法であるため説明は省略する。
【００４４】
次に、光ファイバケーブル４０の配線を行なう。この光ファイバケーブル４０は光コンセント２側を基点として行い、予め一端を工場出荷時にコネクタ４１で成端加工されている光ファイバケーブル４０を通線して、このコネクタ４１を光コンセント２に接続する。この接続作業は光コンセント２の下部からコネクタ４１を差し込み、その内部に設けられた幹線側光レセプタクル２ａに接続すればよい。この幹線側光レセプタクル２ａには中継光ファイバ２ｃを介して機器側光レセプタクル２ｂが接続されているので、機器を使用する際は機器に接続した光パッチコードのコネクタを機器側光レセプタクル２ｂに差し込めばよい。
【００４５】
光コンセント２に一端を接続した光ファイバケーブル４０は壁の内側、床下、天井裏などを通してキャビネットＡまで配線する。キャビネットＡまで引き回した光ファイバケーブル４０は、図８に示すように、収納トレイＢの内部で被覆を剥き光ファイバ心線４０ａの端部と、キャビネットＡ内部配線用のピグテイル１の光ファイバ心線１ａの端部とをメカニカルスプライス３５で接続する。
【００４６】
メカニカルスプライス３５を介して光ファイバケーブル４０に接続されたピグテイル１のコネクタ７は中継アダプタ２３に差し込み、余長はトレイ内を周回させるとともにメカニカルスプライス３５を支持板３４の間に押し込んで挟持させ安定した状態で収納トレイＢ内に収容し、光ファイバケーブル４０のキャビネットＡへの引き込み部分は引留め部材２２で引き留めすればよい。
【００４７】
上述のようにして、キャビネットＡを建築物の外壁等に取り付け、各戸の室内壁に光コンセント２を取り付け、光コンセント２からキャビネットＡに光ファイバケーブル４０を引き回し、キャビネットＡ側に位置する端部とキャビネットＡ内に配設するピグテイル１の一端とをメカニカルスプライス３５で接続処理し、ピグテイル１のコネクタ７を中継アダプタ２３に差し込むことにより先行配線を行なうことができる。
【００４８】
集合住宅の場合は各戸に設置した全ての光コンセント２から同様に光ファイバケーブル４０をキャビネットＡまで施設し、キャビネットＡ内でメカニカルスプライス３５によりピグテイル１と接続処理し、ピグテイル１のコネクタ７を中継アダプタ２３に差し込むことにより、図９に示すように、全ての光コンセント２とキャビネットＡとの間の先行配線を行なうことができる。
【００４９】
なお、集合住宅内の光コンセント２の数が多い場合は、光ファイバケーブルの本数も増えるので、１枚の収納トレイで収納しきれなくなるため、新たに収納トレイを既設の収納トレイ上に段重ねし、トレイの開閉方向を決め上下の収納トレイのヒンジ部同士をピンで連結することにより、容易に収納トレイの増設を行なうことができる。
【００５０】
上述の光ファイバケーブルの先行配線は自営設備側の先行配線であって、各戸の住人が光ファイバケーブルを利用した通信を行なうか否かに関係なく施設するものであって、住人が光通信を行なう場合は、通信事業者が個別に光ファイバケーブルを配線すればよい。この場合は、自営側と同様に、光ファイバケーブルをキャビネットＡ内に引き込み、端部はキャビネットＡ内に配設するピグテイル１とメカニカルスプライス３５で接続処理し、ピグテイル１の他端のコネクタ部を光通信サービス加入者の中継アダプタ２３に差し込むことにより先行配線してある自営者側の光ファイバケーブルと通信事業者側の光ファイバケーブルと接続することができる。
【００５１】
なお、通信事業者側の収納トレイは通信事業者ごとに収納トレイを設定し、作業する通信事業者の数及び光ファイバケーブルの数にあわせて収納トレイを増設すればよい。
【００５２】
通信事業者側の収納トレイも、自営側の収納トレイも同一物なので、ロック機構を備えているため作業を行なう通信事業者が、他の通信事業者の収納トレイを開くことはできないので、作業に必要な収納トレイ以外の他の収納トレイに無闇に触れることを防止でき、安全性と信頼性に優れたキャビネットＡを提供することができる。
【００５３】
なお、収納トレイＢをロックするロック機構は、収納トレイがロックできるものであれば上述したロック機構に限定されるものではない。
【実施例２】
【００５４】
図１０は、上述のキャビネットＡに、加入者の電話を引き込む引込み線に設置して雷サージなどの異常電圧から宅内機器や人体への被害を保護するための加入者保安器Ｃをベース板２０に取付けたもので、加入者線はキャビネットＡの底面に形成された開口部１６から引き込み、加入者保安器を経由して別の開口部１６から引き出すようにすればよい。
【００５５】
上記加入者保安器Ｃは２つの収納トレイＢ１、Ｂ２の中間に配置されているが、このスペースａは、多数（本実施例では最大１０個）の収納トレイＢを積み重ね、最下端のトレイのメンテナンスをする際に、回動した収納トレイＢ同士がぶつからないように確保しなければならないデッドスペースであり、このスペースａに加入者保安器Ｃを配置することにより、光ファイバケーブル用のキャビネットＡの内部を無駄無く有効に活用することができるとともに、光ファイバケーブル用と加入者線用とを収容するキャビネットを個別に設置する必要がなく、設置スペースの節減と外観上の簡素化とを図ることができ、現在の通信が加入者電話線と光ファイバケーブルとが混在している現状では有効なキャビネットを提供することができる。
【図面の簡単な説明】
【００５６】
【図１】本発明の先行配線に用いる構成部材の一例を説明する正面図
【図２】（ａ）〜（ｃ）はキャビネットの正面図、右側面図及び底面図
【図３】（ａ）（ｂ）は上記キャビネットの内部構造を説明する蓋を開いた正面図及び要部を切断した底面図
【図４】収納トレイの内部構造を説明する正面図
【図５】上記収納トレイの開閉状態を説明する説明図
【図６】（ａ）（ｂ）はカバープレートの正面図及び一部切断した側面図
【図７】集合住宅に光ファイバケーブルを先行配線した状態の説明図
【図８】光ファイバケーブルの接続状態を説明する収納トレイの正面図
【図９】キャビネット内に光ファイバケーブルを先行配線した状態を示す蓋を外した状態のキャビネットの正面図
【図１０】上記キャビネットの他の例を示す蓋を外した状態の正面図
【符号の説明】
【００５７】
１    光ファイバ（ピグテイル）
２    光コンセント
７    コネクタ
２２    引留め部材
２３    中継アダプタ
３５    メカニカルスプライス
４０    光ファイバケーブル
Ａ    キャビネット
Ｂ    収納トレイ
【図１】
2005215071.tif 000003
【図２】
2005215071.tif 000004
【図３】
2005215071.tif 000005
【図４】
2005215071.tif 000006
【図５】
2005215071.tif 000007
【図６】
2005215071.tif 000008
【図７】
2005215071.tif 000009
【図８】
2005215071.tif 000010
【図９】
2005215071.tif 000011
【図１０】
2005215071.tif 000012